(57)【要約】【課題】  従来の猪ワナの仕掛け穴は、山地へのじか堀の穴であったので、穴の角が陥凹や崩落し易い。この結果、猪足が、ワイヤーの輪差を踏んだままで、踏み板を踏むことになって、捕獲率を数％迄に低下させる懸念があった。【解決手段】  猪の通路の一部を横断して設置する猪ワナの仕掛け穴の、上の開口部の側面を、左、右の腕木と枠止めで固定した。外部の土壌やワイヤーの輪差の領域と、内部の踏み板等のワナの仕掛けをする領域を分割、区分けした。穴頭の内側面に凸、滑落面を付けた腕木と、枠止めと、踏み板で囲い込んだ。踏み板の何処を踏んでも、猪足が踏み板と共に、完全に仕掛け穴の底部迄落下する間に、ワイヤーの輪差が、獲物の足首を完全に捕らえて空振りを極力排除した。【選択図】  図１
2005304316.tif 000002
【特許請求の範囲】
【請求項１】
左、右の二本の腕木１と、その腕木の両端近くの二箇所を相互に枠止め２で止めた、枠組みの仕掛け穴２６へ、仕掛ける金属撥ね棒１５を曲げ込む復原力と繋いだ、ホソ止め７の掛け金で、ホソ止め金８の横に添え掛けた、ホソ丸棒止め５を掛け止めて、踏み板受け４との間の上に乗せ掛けた、踏み板３への踏圧によって、ホソ丸棒止め５の、ホソ止め７が外れた反応で、左、右の両腕木１の腕木輪差止め溝１９へ仮納した、ワイヤーの輪差１０が、金属撥ね棒１５の、反発力で撥ね出し作動して、猪足２３を締め括り付ける装置の、穴頭を腕木、枠止めで枠組み固定する猪ワナセット。  
【請求項２】
左、右二本の腕木１の、上方の内側面を腕木凸面１３化と、その両はしに腕木輪差止め溝１９を取り付けた、両端部近くの両方を、枠止め２で枠組みして固定して、その枠止めの片側の基底部に、凸面を持つ踏み板受け４をとり付け、もう一つの片側の枠止め２の中央上部に、ホソ反転作動抜き２８を付け、その枠止め２の両側面の円曲面を輪差の後部支え止め２４として、その前方の左、右の腕木１の側面と、枠止め２の両隅のかどに、踏み板支え止め６と、ホソ止め金受け９を付け、腕木１にホソ丸棒止めの溝１４を付けた、請求項１の穴頭を腕木、枠止めで枠組み固定する猪ワナセット。
【請求項３】
左、右二本の腕木１１を管材として、その両端近くの二か所を枠止め１２で固定して、その両方の腕木１１の両端近くの上面に、腕木輪差止め溝１９を取り付け、左、右の腕木１の側面と、枠止め２の両隅のかどに、踏み板支え止め６と、ホソ止め金受け９付けた、請求項２の穴頭を腕木、枠止めで枠組み固定する猪ワナセット。  
【請求項４】
左、右二本の腕木２１を管材として、その両端近くを枠止め２２で片側一方だけ固定して、その両方の腕木２１の両端近くの上面に、腕木輪差止め溝１９を取り付け、腕木１の両方の先方にホソ止め金受け９を取り付けた、請求項３の穴頭を腕木、枠止めで枠組み固定する猪ワナセット。
【発明の詳細な説明】
【技術分野】
【０００１】
一般の猪、鹿等の括りワナの仕組みは、その通路を横断して仕掛けるワナの、動力として、木、竹、金属の撥ね棒や巻バネの、たわみの反発力の弾力を、ワイヤーの輪差１０の締め付けの動力として活用して、地面に仕掛け穴２６をじかに掘ったままの仕掛け穴２６への、通行の猪の踏足２３が踏み板３を踏むと、ワナ仕掛けの反応と連動して、猪、鹿の足首をワイヤーの輪差１０で締め付け括って、捕獲するのが一般的である。
この一般的な構造が招く、諸々の欠陥を克服する目的で、本発明では、前記の仕掛け穴２６の穴頭（穴がしら：穴開口上縁）を、腕木で枠止めして固定的に保持して、仕掛け穴の内外の干渉を排除して、主に地面へ差し込んで止める金属の撥ね棒の反発力を用いて、それに連動するワイヤーの輪差で、獲物の足首を締め括る穴頭を腕木、枠止めで枠組み固定する豬ワナセットである。
【背景技術】
【０００２】
従来は、地面に差し込む金属の撥ね棒を用いた猪ワナ等においては、自然の土壌にじかに穴を掘ったまま、仕掛けワナを取り付けていた。このため、降雨等により土壌の柔軟化すると、穴の上部の開口部の両側面を踏み付けると、図１の（ロ）のように、穴と土壌の角の境界面が斜めに陥没沈下して、足の踏み板３と、仕掛け穴２６の回りのワイヤの輪差１０との、落差がなくなっている。この結果、その周辺を踏んだはずみだけで、ワイヤの輪差を踏んだまま、踏み板を踏むことが多発して、踏み板３への悪影響に伴って、ホソ止め７で繋がるワナ機構が、不完全反応する連鎖反応の結果として、作動の不正確さから空振りの多発のロスが多かった。
【０００３】
猪が何時も、踏み板の理想的な踏み位置の、図１（イ）の点線部を踏んでくれれば良いのだが、その猪、鹿等も通行の度に足跡も色々と変化して、その時点の運任せなので、踏み板３の両端の（ロ）や後部（ハ）を踏む場合も多い。となると、仕掛け穴の両側面の（ロ）、（ハ）の例のように、ワナの機構として、仕掛け穴の内部迄に、充分に踏み込まれずに、誤作動を誘発する。よって、回りを囲むワイヤーの輪差１０と連動して、不完全作動でひずめの先端の締め付けか、かすめるかして空振りを導き、その上に、踏み板３を踏んでも踏み板が全面落下しにくいので、常に踏み板の両側端（ロ）や後端部（ハ）の点線部に足が掛かると同じように空振りする確率が高くなる為に運任せで捕獲率も数％に低下する傾向性があった。
【発明の開示】
【発明が解決しようとする課題】
【０００４】
従来の括りワナと、本発明の比較原理図の図１の（ニ）を実施した（ホ）を参考として示す。これは、腕木、枠止めで枠組みして、ワナの作動する誘導領域だけを囲い込んで、落とし穴のような仕掛け穴の空間を作って、この誘導領域に対する内外の相互干渉を排除したものである。これは、仕掛け穴に踏み掛かると、確実に落とし穴のように、確実に穴の底まで踏み足が、落ち込む様に作動させることで、従来の括りワナの欠点の弊害を根本的に改善することが目的である。または、その他の巻バネを用いたものも、概ねは地面をじかに掘る仕掛け穴が殆どで、本発明の様に、地面への差し込みの別仕立との金属の撥ね棒との、簡略な組み合わせの構造で、仕掛け穴の開口部の穴頭を枠止め固定化したものは皆無に等しい。
【０００５】
また通常の猪の括りワナでの仕掛け穴では、山の土壌をじかに掘った自然の穴を使うのが殆どなので、穴の上側の両開口部が、猪の穴の周辺を踏む踏圧と、雨等で軟弱化も加わって、図１の猪足２３の如く、穴の角も陥凹して穴の土の角も取れて開口部が傾斜して、穴の周囲を巡らす足首を締め付けるワイヤーの輪差と、踏み板の落差がなくなってしまう。よって、猪の足の理想的な踏み位置の（イ）以外の踏み位置次第では、ワイヤーの輪差を踏んだままや、足の一部がまだ外にあった状態でも、ひずめの一部がそれでも、踏み板を完全に踏み込んだ状態の様な錯誤を生み、相干渉の誤作動を誘って、その連動によって、引き起こされるワナの空振りが多発する問題点があった。
【課題を解決するための手段】
【０００６】
これ等の弊害を防ぐ為に、図１、図３、図４、図５の仕掛け穴の穴頭を腕木、枠止めで固定的に定着させて、猪の括りワナとする為に、猪の進行路を横断させる仕掛け穴の、穴頭の両側面の両腕木の枠止めで、穴と回りの土壌と、境界を付ける枠組みの空間で、内部と外部の領域を段落を付けて、際立たせるようにに仕切り分けて、外部のワイヤーの輪差の領域と、内部の落とし穴ともなる仕掛け穴の踏み板の領域を、峻別し際立たせて、穴の回りの土壌やワイヤーの輪差の領域等の、外部の波及作用の影響と、内部の踏み板その他の作動仕掛けへの、相互干渉の悪影響を完全に遮断して、落とし穴ともなる枠組みの仕掛け穴に、獲物の足が充分に落ち込んだときのみに完全に作動するようにすることが可能化する。
【０００７】
上記の目的達成の為には、外部のワイヤーの輪差部分も、猪の歩行の際に足に引っ掛かったりする懸念があると、ワナの作動にも悪影響を及ぼすので、内部の起動誘発領域と、それに付随した外部付帯領域を、明確の仕分けを安定化する為に、仕掛け穴を巡らすワイヤーの輪差を、両腕木のはめ込み溝へはめ込んで、安定的に止めると同時に、その両腕木と枠止めで囲う枠組みで、猪の歩行による踏み足を、落とし込む段落の空間を形作って、定着させると共に、腕木の上部の内側面の、凸面化の滑りでひずめが端に掛かっても、穴の内部に誘引、滑落させて、枠組みで囲い込む落とし穴に捕らえ込ませる。
踏み板受けは落ち易いように、最小限度の受け幅とすると共に、その踏み板も二つに分割して、低い落差でも踏み板が猪足と共に全面落下して、ワイヤーの輪差が足首を確実に完全に捉えて締め付ける。また、踏み板の何処を踏んでも死角を無くして、ワナ反応を確実にして、確実に捕獲に直結するようにすることである。
【０００８】
請求項２の図２の場合は、両腕木を枠止めで固定する場合に、両方二本の腕木と、その両端の両方二本の枠止めをネジ止めにするか、又は腕木、枠止めを、全てを纏めて一体成型とする。
【０００９】
請求項３の図６の場合は、両腕木は、堅木、竹、金属、プラスチツク材の表面に凸面を有する所要の太さ、長さの棒を用いる事が出来る。通常はプラスチックのパイプを用いて、両腕木の両端を二本の枠止めで固定する場合には、枠止めの金属片をネジ止め又はリング止めとしたものを更に糸を巻いて止める。
【００１０】
請求項４の図７の場合は、両腕木の両端を枠止めで固定するのを、簡便化して、片側だけの一方を枠止めで固定する場合には、ネジ止め、又はリング止めしたものを、更に糸を巻いて止める。
【００１１】
請求項１に記載の発明では、左、右の二本の腕木と、それらの腕木の両端近くの二箇所を相互に枠止めで止めた、枠組みの仕掛け穴へ、仕掛ける金属撥ね棒を曲げ込む復原力と繋いだ、ホソ止めの掛け金で、ホソ止め金の横に添え掛けた、ホソ丸棒止めを掛け止めて、踏み板受けとの間の上に乗せ掛けた、踏み板への踏圧によって、ホソ丸棒止めの、ホソ止めが外れた反応で、左、右の両腕木の腕木輪差止め溝へ仮納した、ワイヤーの輪差が、金属撥ね棒の、反発力で撥ね出し作動して、猪足を締め括り付ける装置の、穴頭を腕木、枠止めで枠組み固定する猪ワナセットである。
すなわち、枠組みは、同じ長さで平行な左右二本の腕木と、それらの腕木の両端近くの二箇所を相互に枠止めで止めて形成している。この枠組みを、仕掛け穴の開口（穴頭）に取り付ける。枠組みの上にはワイヤーの輪が拡げられて保持される。枠組みの内側には踏み板が配設される。踏み板は、矩形の枠組の長さ方向の一端側の踏み板受けとその他端側のホソ丸棒止めとで下から支持される。ホソ丸棒止めは、ホソ止めのフック状の先端によって下から支持され、このホソ止めの基端は水平に架け渡されたホソ止め金に当接して支持されている。また、ホソ止めは金属撥ね棒の先端に繋がれてその金属撥ね棒が曲げ込まれて生じたその復原力によりホソ止め金の軸を中心として一方向に付勢されている。ホソ止めは先端がホソ丸棒止めに掛止されてこの付勢力に対向している。ホソ丸棒止めは上側には動かないように両腕木の各ストッパ部分に掛止されている。また、ワイヤーは、金属撥ね棒の上記復原力によりその輪を閉じることとなる。
したがって、踏み板への踏圧によって、ホソ丸棒止めの、ホソ止めが外れた反応で、左、右の両腕木の腕木輪差止め溝へ仮納した、ワイヤーの輪差が、金属撥ね棒の、反発力で撥ね出し作動して、猪足を締め括り付けることとなる。
このとき、踏み板は矩形の枠組み内でその長さ方向にわずかに移動可能であって、その誤動作を無くしている。また、上記フック状のホソ止めが金属撥ね棒が復原力で復原する際に枠組みから容易に抜け出すよう、その長さがホソ止め金と枠組みの長さ方向他端との間隔より短くなっている。
請求項２に記載の発明の猪わなセットでは、左、右二本の腕木の、上方の内側面を腕木凸面化と、その両はしに腕木輪差止め溝を取り付けた。両端部近くの両方を、枠止めで枠組みして固定した。その枠止めの片側の基底部に、凸面を持つ踏み板受けをとり付けた。もう一つの片側の枠止めの中央上部に、ホソ反転作動抜きを付けた。その枠止めの両側面の円曲面を輪差の後部支え止めとして、その前方の左、右の腕木の側面と、枠止めの両隅のかどに、踏み板支え止めと、ホソ止め金受けを付けた。腕木にホソ丸棒止めの溝を付けた。
請求項３に記載の発明は、左、右二本の腕木を管材として、その両端近くの二か所を枠止めで固定して、その両方の腕木の両端近くの上面に、腕木輪差止め溝を取り付け、左、右の腕木の側面と、枠止めの両隅のかどに、踏み板支え止めと、ホソ止め金受け付けた、請求項２の記載の穴頭を腕木、枠止めで枠組み固定する猪ワナセットである。
請求項４に記載の発明は、左、右二本の腕木を管材として、その両端近くを枠止めで片側一方だけ固定して、その両方の腕木の両端近くの上面に、腕木輪差止め溝を取り付け、腕木の両方の先方にホソ止め金受けを取り付けた、請求項３に記載の穴頭（あながしら）を腕木、枠止めで枠組み固定する猪ワナセットである。
【発明の効果】
【００１２】
地面の穴頭の枠付けで、仕掛け穴の安定化と、穴の内外の相互干渉を遮断して、内部の仕掛けの領域の独立化が保全されて、ワナの捕獲機能の正確さと、高効率化と安定化を計る効果がある。
【００１３】
ワナの仕掛けの現場では、極めて省力、簡易、簡便化出来る様に、軽量、コンパクトで、携行に便利な器具のセットにすることが可能である。更に山の急勾配の坂路の斜面の路や、その横断路や、平面路等の難易を厭わずに、如何なる現場の何処にでも、容易に対応した設置が可能である。と共に、今迄のワナの機能の誤作動を廃して、無駄の空振りによる捕獲効率のロスを最小限に減らせる効果がある。
【００１４】
現場のワナの仕掛けでは、両腕木の、腕木輪差止め溝と、ホソ止め金受けや踏み板支え止めで、ワイヤの輪差の仕掛けや、ホソ止めの金の挿し込みの位置の定着化で、踏み板の設置の容易化と安定化で、簡便化が計られて、一挙に安定して間違いなく、取り付けが可能となる。と共に、また腕木輪差止め溝で、ワイヤの輪差を土壌中に密着して安定的に取り付けて、猪の歩行による蹄の輪差へのひっ掛かり着く障害の影響も可及的に廃して、ワナ本来の機能を最大限に発揮することが可能化する。
【００１５】
腕木と枠付けで穴頭を固めた仕掛け穴で、もし腕木を猪の歩行のひずめで踏んで端に掛かった場合でも、横断する腕木の凸型表面と、猪の歩行の際の、足のひずめのしゃくりと相俟って、滑り込み落下を助け、蟻地獄の如くに、仕掛け穴への獲物の踏み足の誘引、滑落、完全落下着床するワナの反応で、仕掛けの失敗、空振りを防ぐ事が可能化する。
【００１６】
近年、農山村の山際で、猪害、鹿害が漸増傾向で、大きな被害を出しつつあるが、本発明の猪ワナセットを活用することで、有害鳥獣の駆除作業の効率を著しく高め、農林業の被害を軽減する大きな貢献が可能化する。
【発明を実施するための最良の形態】
【００１７】
請求項２の図２の場合は、両腕木を枠止めで固定する場合に、平行な両方二本の腕木と、その両端の両方二本の枠止めをネジ止めにするか、又は腕木、枠止めを、全てを纏めて一体成型とする。
【００１８】
請求項３の図６の場合は、両腕木は、堅木、竹、金属、プラスチツク材の表面に凸面を有する所要の太さ、長さの棒を用いる事が出来る。通常はプラスチックのパイプを用いて、両腕木の両端を二本の枠止めで固定する場合には、枠止めの金属片をネジ止め又はリング止めとしたものを更に糸を巻いて止める。
【００１９】
請求項４の図７の場合は、両腕木の両端を枠止めで固定するのを、簡便化して、片側だけの一方を枠止めで固定する場合には、ネジ止め、又はリング止めしたものを、更に糸を巻いて止める。
【実施例】
【００２０】
請求項２の実施例の場合は、木材、竹材の加工も可能であるが、実用的には、硬質プラスチック（自然分解の乳酸プラスチツク等）の熔融吹き込みによる一体成型する。
【００２１】
請求項３の実施例の場合は、両腕木の管材として、硬質のビニールパイプを用いて、両端近くの双方を固定する枠止めする。
【００２２】
請求項４の実施例の場合は、請求項３の両腕木の管材として、同じく硬質のビニールパイプを用いるが、枠止めは簡略化して、片側だけを固定して枠止めする。
【００２３】
本発明の構成と作用は、図１の組成原理図の（ニ）を参照して説明する。それ等を現場に設置する場合には、猪などの獣の通路を横断するように、仕掛け穴２６を腕木１枠止め２の枠組みの内径よりやや大き目に掘り。その枠組みの高さに合わせてその穴の上部を削って、枠組みの上面を地表２０より少し低目になる様に据える。そこで構成された枠組み（ホ）の、底部に仕掛ける踏み板３は、仕掛け穴２６の中に浮かせた状態で設置される。その上面の地表部２０に近い枠組みの腕木１の、外側を回して腕木輪差止め溝１９に、止め込ませるワイヤーの輪差１０の図３と、腕木１の上部の内側面の滑落を助ける腕木凸面１３で、構成される枠組みの空間は、ワイヤーの輪差１０の、取り付け部分を、輪差の後部の支え止め２４で支えながら、其処の中に構成された枠組みの空間には、地表面まで落ち葉２９を投入して、その枠組みの空隙を塞ぎ、その上に薄く土を掛けて、落ち葉の安定とワナの仕掛けの隠蔽を図る。図１、図４を参照のこと。
【００２４】
ワナの動力の関連部分は、ワイヤーの輪差１０を締め込む動力の金属撥ね棒１５の巻きバネとなる部分までを、地表２０より少し低い位に金属撥ね棒差し込み２７を指して込んで、撥ね棒止め杭１６で固定する。その上部の金属撥ね棒１５の部分の長さは、ワイヤの輪差１０の輪の長さに大体比例させる。猪の足首を締め括るワイヤーは、大体４ｍｍの太さを基本にして、輪差の撚り戻し１８の中継ぎ以降の長さは、金属撥ね棒１５の長さの大体２倍位の長さとして、その根本は、竹や樹木の根本に巻き付けて輪差止めする。図４を参照。
【００２５】
図２、図３の腕木１枠止め２の枠組みの内で、ホソ止め金８の据え付けでは、その枠止め２の横幅に楽に挿入され得る幅にした、ホソ止め金８を、ホソ止め金受け９の突出部に付け合わせて、上から仕掛け穴２６の底部の地面に充分に挿し込んで、上部を枠組みの上面と合わせて、打ち込んで固定するか、又は、先に挿し込んだホソ止め金８に合わせて、上から枠組みを嵌めて据え付ける。
【００２６】
図３、図４を参照して、可動させる作用部分として、ホソ止め金８の位置に合わせて、金属撥ね棒挿し込み２７の位置を決めて挿し込み固定して、それをワナとして稼働させるには、金属撥ね棒の１５の部分と垂直構成の２７のバネを、押さえて曲げ込み、その先端に糸で止めたホソ止め７は、ホソ止め金８の下を潜らせて、その上部を止めて、その下方の止め金部分は、ホソ止め金８の両端に合わせて添わせた、ホソ丸棒止め５中心部分に止めて、両端のはみ出し部分は、ホソ丸棒止めの溝１４内に納め込み、そのホソ丸棒止め５には踏み板３の先端部を乗せかけ、その末端は滑落し易い様に幅狭く丸くした、踏み板受け４、に乗せ掛けた踏み板３は、滑落を助ける様に二分割して、更に横えの墜落止めとしての踏み板支え止め５で、踏み板３は専ら上部からの踏圧のみで働くようする。
【００２７】
作動の励起には、踏み板３に加圧する踏圧が掛かると、ホソ止め７の掛け金が外れて、猪足２３が踏み板３と共に、囲まれて外に逃れ得ぬ様な、枠組みの囲いの中に猪足２３が取り込まれて、その仕掛け穴２６の底まで落下する反応が始まると、ワイヤーの輪差１０と繋いでいる輪差の撚り戻し１８は、金属撥ね棒１５の先端に細い針金で連結された状態で、金属撥ね棒１５のバネと一緒に撥ねることで、ワイヤーの輪差１０の牽引作用で、猪の足首を締め付けるその時に、金属撥ね棒１５が、地面に対して約５０度内外の傾きで受け止めて、丁度、竿の魚釣り状態のバネの撓みとなって、暴れれば、暴れる程ワイヤーの輪差１０を締め込む助けの、初期の役目が終わると、金属撥ね棒１５と輪差を繋ぐ細い針金が、切れる様に調節されて、役目を終えた金属撥ね棒１５は、輪差部分から完全に切り離されて、竹木の根本に結んだワイヤーが伸びた先端に、ワイヤーの輪差１０が、獲物の足首を締め括り付けた状態を作って、獲物を捕獲する穴頭を腕木、枠止めで枠組み固定する猪ワナセットである。
【００２８】
すなわち、この発明の要点は、金属撥ね棒の弾性復原力をホソ止めを介してホソ丸棒止めで受け止め、このホソ丸棒止めが踏み板を介して下向きに押圧されると、これからホソ止めが外れ、復原力によりワイヤーの輪が猪の足を締め付けるものである。そして、この場合、踏み板は図３の枠組の長さ方向の金属撥ね棒側にわずかな距離だけ可動となっているので（踏み板の金属撥ね棒側先端と枠組みとの間にはわずかな隙間ｗがある。）、誤動作を防止できる。また、このときのホソ止めの長さは、枠組みの金属撥ね棒側の枠止め２と水平に幅方向に架け渡されたホソ止め金８との間隔（図３ではｘ）より短く、この間隔から容易に抜け出る構造である。よって、踏み板が外れたときのホソ止めの抜けを容易にして捕獲動作を確実にしている。また、腕木の上面が丸くなっていると、猪の足がこれを踏んだ場合、その習性として、蹄を前側に力をかけてしゃくるため、仕掛け穴に落ちやすい。さらに、腕木に溝を形成したため、ワイヤーの輪が初期の輪形状に確実に保持できる。
この猪ワナセットは、猪の通る路に掘った所定深さの矩形の穴の底部に鳥居形状のホソ止め金を差し込み固定する。そのホソ止め金の水平部は穴の開口高さ位置とする。次に、矩形の枠組みを穴頭にはめ込み固定する。このとき、ホソ止め金の垂直部分に枠組みの一部９が当接する。位置決めである。この状態で枠組みは固定される。ここで、金属撥ね棒１５を曲げてその先端のホソ止め７でホソ丸棒止め５を水平に固定する。その高さは矩形の枠組みの踏み板受け４と同じとする。ホソ丸棒止め５はフック状のホソ止め７で図５に示すようにホソ止め金８の垂直部分に押し付けられる。ホソ丸棒止め５の両端はホソ丸棒止めの溝１４にそれぞれ掛止されて上には動かない。この溝１４は上側が狭まっているからである。ホソ止め７は基端がホソ丸棒止め８の水平部分に下から当接している。てこの原理により小さな力でホソ丸棒止め５に当接している。ホソ丸棒止め５と踏み板受け１４との上面に踏み板３，３が静かにセットされる。ここで、踏み板の長さは、踏み板受け１４の内方への出っ張り量と略同じだけの隙間ｗを有して枠内にセットされる。上述したように、この隙間分だけ踏み板３はその長さ方向に動ける。また、ワイヤは溝にはめ込まれて規定通りにセットされる。この後土などを踏み板の上にかけてセットが終わる。
枠組みの長辺と直交方向が獣道の延びる方向である。よって、猪がこの踏み板３の一部を踏み込むと踏み板３が穴に落ち、ホソ止め７がホソ丸棒止め５より外れる。この結果、弾性力により金属撥ね棒１５が跳ね上がり、ワイヤの輪差１０を絞り込む。猪の足がこれに捕獲される。踏み板３を踏み落としたとき、ホソ止め７は十分な長さの隙間ｘより穴の外に飛び出すため、確実に金属撥ね棒１５が作動復原する。すなわち、確実に猪を捕獲できる。また、猪の足が腕木凸面１３を踏んだ場合もそのしゃくりにより踏み板３を踏み込むこととなり、かつ、ワイヤの輪差１０がこの腕木凸面１３より外側に位置するため、この点からも確実に捕獲できる。
【図面の簡単な説明】
【００２９】
【図１】本発明の、地面をじか堀の仕掛け穴と、穴頭を腕木、枠止めで固定する猪ワナセットの功罪を比較する組成原理図。
【図２】特許請求の範囲第１項の基本原理の工作物の上斜視立体図。
【図３】基本原理図の実際のワナ仕掛けの原理展開の上斜視立体図。
【図４】実際のワナ仕掛けの全体模様の上斜視立体概図。
【図５】実際のワナ仕掛けの縦断面の展開原理図。
【図６】腕木を管材へと展開して両枠止めのワナ仕掛け上斜視立体図。
【図７】腕木を管材へと展開して片枠止めのワナ仕掛け上斜視立体図。
【符号の説明】
【００３０】
１、１１、２１  腕木
２、１２、２２  枠止め
３  踏み板
４  踏み板受け
５  ホソ丸棒止め
６  踏み板支え止め
７  ホソ止め
８  ホソ止め金 
９  ホソ止め金受け
１０  ワイヤの輪差
１３  腕木凸面
１４  ホソ丸棒止めの溝
１５  金属撥ね棒 
１６  撥ね棒止め杭
１７  連結止め針金
１８  輪差の撚り戻し（サルカン）
１９  腕木輪差止め溝
２０  地面
２３  猪足
２４  輪差の後部支え止め
２５  連結ワイヤー
２６  仕掛け穴（落とし穴）
２７  金属撥ね棒挿し込み
２８  ホソ反転作動抜き
２９  落ち葉
（イ）（ロ）（ハ）猪の通行の踏み位置
（ニ）特許申請ワナの基本構成上視図
（ホ）は（ニ）の実施状態の原理図
【図１】
2005304316.tif 000003
【図２】
2005304316.tif 000004
【図３】
2005304316.tif 000005
【図４】
2005304316.tif 000006
【図５】
2005304316.tif 000007
【図６】
2005304316.tif 000008
【図７】
2005304316.tif 000009